(57)【要約】【課題】固定表示パターンを有する液晶表示パネルにおいて、上記固定表示パターンを簡単且つ低コストで変更できる液晶表示パネルの実現。【解決手段】透光性基板36に、固定表示パターン形状の透光性領域40を形成すると共に、透光性領域以外40の領域を非透光性領域42と成した固定表示部20と、対向配置した前面基板22と背面基板24との間に液晶26を配置すると共に、前面基板22に透明な所定形状の固定表示用セグメント電極28ａ，28ｂ，28ｃ，28ｄを形成して成り、上記固定表示用セグメント電極28ａ，28ｂ，28ｃ，28ｄの形状に対応した光を前面基板22側へ出射する本体部18を備え、本体部18の固定表示用セグメント電極28ａ，28ｂ，28ｃ，28ｄの上方に、固定表示部20の固定表示パターン形状の透光性領域40を、対応する固定表示用セグメント電極28ａ，28ｂ，28ｃ，28ｄの輪郭内に収まるよう配置。【選択図】図１
2012078612.tif 000002
【特許請求の範囲】
【請求項１】
透光性基板に、固定表示パターン形状の透光性領域を形成すると共に、該透光性領域以外の領域を非透光性領域と成した固定表示部と、
所定間隔を設けて対向配置した透光性絶縁材より成る前面基板と背面基板との間に液晶を配置すると共に、上記前面基板又は背面基板側に透明な所定形状の固定表示用セグメント電極を形成して成り、上記固定表示用セグメント電極の形状に対応した光を前面基板側へ出射する本体部を備えて成る液晶表示パネルであって、
上記本体部の固定表示用セグメント電極の上方に、上記固定表示部の固定表示パターン形状の透光性領域を、固定表示用セグメント電極の輪郭内に収まるように配置したことを特徴とする液晶表示パネル。
【請求項２】
上記透光性基板の一面にマスク層を配置することにより上記非透光性領域が形成されると共に、マスク層を配置しないことにより上記透光性領域が形成されることを特徴とする請求項１に記載の液晶表示パネル。
【請求項３】
上記本体部の前面基板又は背面基板側に透明な所定形状の可変表示用セグメント電極が形成されており、また、
上記固定表示部の透光性基板に、上記可変表示用セグメント電極と同一形状の透光性領域が形成されており、
上記固定表示部の可変表示用セグメント電極と同一形状の透光性領域と、上記本体部の可変表示用セグメント電極とが上下に重なって配置されることを特徴とする請求項１又は２に記載の液晶表示パネル。
【発明の詳細な説明】
【技術分野】
【０００１】
この発明は、液晶表示パネルに係り、特に、表示面の中に固定表示パターンを有する液晶表示パネルにおいて、上記固定表示パターンを簡単且つ低コストで変更することのできる液晶表示パネルに関する。
【背景技術】
【０００２】
近年、多くの電気製品に、その動作状態等を使用者に知らせるための液晶表示パネルが用いられている。
図８は、電気ポットに用いられる従来の液晶表示パネル70の表示面72を示すものであり、数字を表示するための２個の７セグメントの表示パターンと、「．（ドット）」を表示するための２個の表示パターンと、「沸とう」及び「保温」の文字を表す表示パターンが形成されている。
上記表示パターンの内、７セグメントの表示パターンは表示内容が変化する可変表示パターン74であり、一方、「．（ドット）」、「沸とう」、「保温」の表示パターンは表示内容が変化しない固定表示パターン76である。尚、「沸とう」の文字の表示パターン、「保温」の文字の表示パターンはそれぞれ１セグメントを構成している。
【０００３】
上記液晶表示パネル70は、図９に示すように、所定間隔を設けて対向配置した透光性絶縁材より成る前面基板78と背面基板80との間に液晶82を配置して成る。
上記前面基板78の裏面には、透光性材料より成るオーバーコート層84で保護・被覆されたブラックマスク86が形成されると共に、上記オーバーコート層84の裏面に上記各表示パターンを形成する透明なセグメント電極88が形成されている。尚、上記ブラックマスク86は、表示面72において上記表示パターンが形成されていない領域を覆うように形成されている。
また、上記背面基板80の表面には、上記セグメント電極88と対向する透明なコモン電極90が形成されている。
【０００４】
さらに、前面基板78の表面、及び、背面基板80の裏面には偏光板92が配置されており、前面基板78側の偏光板92の表面が上記表示面72となっている。
上記液晶表示パネル70は、セグメント電極88及びコモン電極90に接続された電極端子94（図８参照）を介して特定のセグメント電極とコモン電極間に電圧を印加することにより、液晶82の配向状態を変化させてバックライト（図示省略）からの光を透過せしめて表示を行うものである。
【０００５】
尚、固定表示パターンを有する液晶表示パネルとしては、例えば、特開平６−３３１９６３号公報がある。
【特許文献１】特開平６−３３１９６３号公報
【発明の開示】
【発明が解決しようとする課題】
【０００６】
ところで、上記固定表示パターン76を有する液晶表示パネル70を、例えば日本仕様から海外仕様に変更する場合等においては、固定表示パターン76の内容変更が必要な場合がある。
従来、固定表示パターン76を変更するには、新しい表示パターンに対応したセグメント電極88等を新規に設計し直さなければならず、非常に手間とコストがかかっていた。
【０００７】
本発明は、上記問題に鑑みてなされたものであり、その目的とするところは、表示面の中に固定表示パターンを有する液晶表示パネルにおいて、上記固定表示パターンを簡単且つ低コストで変更することのできる液晶表示パネルを実現することにある。
【課題を解決するための手段】
【０００８】
上記の目的を達成するため、本発明の請求項１に記載の液晶表示パネルは、
透光性基板に、固定表示パターン形状の透光性領域を形成すると共に、該透光性領域以外の領域を非透光性領域と成した固定表示部と、
所定間隔を設けて対向配置した透光性絶縁材より成る前面基板と背面基板との間に液晶を配置すると共に、上記前面基板又は背面基板側に透明な所定形状の固定表示用セグメント電極を形成して成り、上記固定表示用セグメント電極の形状に対応した光を前面基板側へ出射する本体部を備えて成る液晶表示パネルであって、
上記本体部の固定表示用セグメント電極の上方に、上記固定表示部の固定表示パターン形状の透光性領域を、固定表示用セグメント電極の輪郭内に収まるように配置したことを特徴とする。
【０００９】
本発明の請求項２に記載の液晶表示パネルは、請求項１に記載の液晶表示パネルにおいて、
上記透光性基板の一面にマスク層を配置することにより上記非透光性領域が形成されると共に、マスク層を配置しないことにより上記透光性領域が形成されることを特徴とする。
【００１０】
本発明の請求項３に記載の液晶表示パネルは、請求項１又は２に記載の液晶表示パネルにおいて、
上記本体部の前面基板又は背面基板側に透明な所定形状の可変表示用セグメント電極が形成されており、また、
上記固定表示部の透光性基板に、上記可変表示用セグメント電極と同一形状の透光性領域が形成されており、
上記固定表示部の可変表示用セグメント電極と同一形状の透光性領域と、上記本体部の可変表示用セグメント電極とが上下に重なって配置されることを特徴とする。
【発明の効果】
【００１１】
本発明の請求項１に記載の液晶表示パネルは、本体部の固定表示用セグメント電極の上方に、固定表示部の固定表示パターン形状の透光性領域を、固定表示用セグメント電極の輪郭内に収まるように配置したので、固定表示用セグメント電極の形状に対応して前面基板側へ出射する光の内、上記透光性領域の固定表示パターン形状に対応した光のみが透過し、それ以外の光は固定表示部の非透光性領域によって遮光されることとなるので、表示面において所定の固定表示を行うことができる。
従って、固定表示パターンの変更が必要な場合には、変更後の固定表示パターンの形状と成された透光性領域を有する固定表示部に交換するだけで良く、従来のように変更後の固定表示パターンの形状に対応した固定表示用セグメント電極を新規に設計し直す必要がないので、簡単且つ低コストで固定表示部の固定表示パターンを変更することができる。
【００１２】
本発明の請求項３に記載の液晶表示パネルは、本体部の前面基板又は背面基板側に透明な所定形状の可変表示用セグメント電極が形成されている場合において、固定表示部の透光性基板に、上記可変表示用セグメント電極と同一形状の透光性領域を形成し、上記固定表示部の可変表示用セグメント電極と同一形状の透光性領域と、上記本体部の可変表示用セグメント電極とが上下に重なって配置されるよう構成したので、可変表示用セグメント電極に対応して前面基板側へ出射する光は、上記可変表示用セグメント電極と上下に重なって配置されている固定表示形成部の透光性領域を透過するので、表示面において可変表示用セグメント電極に対応した可変表示を行うことができる。
【発明を実施するための最良の形態】
【００１３】
以下に、本発明に係る液晶表示パネル10を図面に基づいて説明する。図１は、本発明に係る液晶表示パネル10を模式的に示す概略平面図、図２は図１のＡ−Ａ概略断面図である。
本発明の液晶表示パネル10は電気ポットに用いられるものであり、その表示面12に、数字を表示するための２個の７セグメントの表示パターンと、「．（ドット）」を表示するための２個の表示パターンと、「沸とう」及び「保温」の文字を表す表示パターンを有している。
上記表示パターンの内、７セグメントの表示パターンは表示内容が変化する可変表示パターン14を構成し、一方、「．（ドット）」、「沸とう」、「保温」の表示パターンは表示内容が変化しない固定表示パターン16を構成している。
【００１４】
図２〜図４に示すように、本発明に係る液晶表示パネル10は、本体部18と固定表示部20を備えており、これら本体部18と固定表示部20とを積層一体化して構成している。
【００１５】
上記本体部18は、所定間隔を設けて対向配置したガラス等の透光性絶縁材より成る前面基板22と背面基板24との間に液晶26を配置して成る。
また、前面基板22の裏面には、ＩＴＯ膜より成る透明なセグメント電極が形成されて
おり、具体的には、図３に示すように、矩形状にパターニングされた４個の固定表示用セグメント電極28ａ，28ｂ，28ｃ，28ｄと、略「日」の字の７セグメント形状にパターニングされた２個の可変表示用セグメント電極30ａ，30ｂが形成されている。
【００１６】
さらに、上記背面基板24の表面には、上記前面基板22の固定表示用セグメント電極28ａ，28ｂ，28ｃ，28ｄ、可変表示用セグメント電極30ａ，30ｂと対向するＩＴＯ膜より成る透明電極32が形成されている。
また、上記前面基板22の表面、及び、背面基板24の裏面には偏光板34が配置されている。
【００１７】
上記固定表示部20は、ガラスや樹脂等より成る透光性基板36の裏面（一面）に所定形状のマスク層38を配置することにより、透光性領域40と非透光性領域42が形成されている。
すなわち、図４に示す通り、固定表示部20においては、本体部18の可変表示用セグメント電極30ａ，30ｂの７セグメント形状と同一の７セグメント形状と成された透光性領域40が形成されている。
また、固定表示部20においては、固定表示パターン16を構成する「．（ドット）」、「沸とう」、「保温」の文字形状と成された透光性領域40が形成されている。
【００１８】
図５に示す通り、固定表示部20を構成する透光性基板36を、本体部18を構成する前面基板22側の偏光板34上に図示しない接着剤等を介して積層配置することにより、固定表示部20と本体部18とが一体化される。
この際、本体部18の可変表示用セグメント電極30ａ，30ｂと、固定表示部20の７セグメント形状の透光性領域40とは、上下方向に重なって配置される。  
【００１９】
また、固定表示パターン16の「沸とう」の文字形状と成された透光性領域40は、本体部18の固定表示用セグメント電極28ａの上方、「保温」の文字形状と成された透光性領域40は、本体部18の固定表示用セグメント電極28ａの上方、「．（ドット）」の文字形状と成された透光性領域40は、本体部18の固定表示用セグメント電極28ｃ，28ｄの上方にそれぞれ配置される（図１参照）。すなわち、固定表示部20における「沸とう」の文字形状と成された透光性領域40は、本体部18の固定表示用セグメント電極28ａと対応し、固定表示部20における「保温」の文字形状と成された透光性領域40は、本体部18の固定表示用セグメント電極28ｂと対応し、固定表示部20における「．（ドット）」の文字形状と成された透光性領域40，40は、本体部18の固定表示用セグメント電極28ｃ，28ｄとそれぞれ対応しているのである。
【００２０】
さらに、図１に示すように、「沸とう」の文字形状と成された透光性領域40は、対応する本体部18の固定表示用セグメント電極28ａの輪郭内に収まるように配置されている。また、「保温」の文字形状と成された透光性領域40は、対応する本体部18の固定表示用セグメント電極28ｂの輪郭内に収まるように配置されている。さらに、「．（ドット）」の文字形状と成された透光性領域40は、対応する本体部18の固定表示用セグメント電極28ｃ，28ｄの輪郭内に収まるようにそれぞれ配置されている。
【００２１】
固定表示部20における上記透光性領域40以外の領域は、透光性基板36の一面にマスク層38を配置することにより非透光性領域42と成されている。
上記マスク層38は、例えば黒顔料含有樹脂を透光性基板36の一面に塗布、吹付、印刷等することにより形成可能である。
尚、固定表示部20の透光性基板36の表面が上記表示面12となっている（図２参照）。
【００２２】
上記液晶表示パネル10にあっては、電極端子44（図１参照）を介して特定の可変表示用セグメント電極30ａ，30ｂ、固定表示用セグメント電極28ａ，28ｂ，28ｃ，28ｄと透明電極32間に電圧を印加して液晶26の配向状態を変化させることにより、液晶表示パネル10の下方に配置したバックライト（図示省略）からの光を透過せしめて表示面12において所定の表示を行うものである。
【００２３】
すなわち、可変表示用セグメント電極30ａ，30ｂを構成する７個のセグメントの内、電圧を印加するセグメントを適宜制御することにより、０から９までの任意の数字に対応した光が本体部18の前面基板22側の偏光板34から出射後、上記可変表示用セグメント電極30ａ，30ｂと上下に重なって配置されている固定表示部20の７セグメント形状の透光性領域40を透過し、表示面12において０から９までの所定の数字を可変表示できるのである。
【００２４】
また、固定表示用セグメント電極28ａ，28ｂ，28ｃ，28ｄに電圧を印加した場合には、各固定表示用セグメント電極28ａ，28ｂ，28ｃ，28ｄの形状に対応した矩形状の光が本体部18の前面基板22側の偏光板34から出射する。
上記の通り、各固定表示用セグメント電極28ａ，28ｂ，28ｃ，28ｄの上方には、固定表示パターン部16の文字形状（沸とう、保温、．）と成された固定表示部20の透光性領域40が、上記固定表示用セグメント電極28ａ，28ｂ，28ｃ，28ｄの輪郭内に収まるように配置されている。この結果、、固定表示用セグメント電極28ａ，28ｂ，28ｃ，28ｄの形状に対応して前面基板22側の偏光板34から出射した矩形状の光の内、上記透光性領域40の文字形状に対応した光のみが透過し、それ以外の光は固定表示部20の非透光性領域42によって遮光されることとなるので、表示面12において所定の固定表示を行うことができる。
【００２５】
尚、上記液晶表示パネル10のバックライトとして、Ｒ（赤）、Ｇ（緑）、Ｂ（青）の３原色を選択的に発光可能なＬＥＤ（発光ダイオード）等の光源を備えたものを用いれば、カラーフィルタを用いることなくカラー表示が可能なフィールドシーケンシャル方式の液晶表示装置を構成することができる。
このフィールドシーケンシャル方式は、バックライトを時間的にＲ、Ｇ、Ｂと高速で切り替えながら点灯させ、これに同期して液晶の特定領域を選択的に透光可能とするものであり、Ｒ、Ｇ、Ｂの表示パターンを高速且つ連続的に時分割方式で重ねて表示することにより、人間の目の残像現象を利用してカラー表示を行うものである。カラーフィルタを用いる必要がないので、透過率の向上による消費電力の削減が見込め、ＬＥＤ等の光源の発光光を直接見るため色再現性が高い等の利点がある。
【００２６】
上記の通り、本発明の液晶表示パネル10は、本体部18の各固定表示用セグメント電極28ａ，28ｂ，28ｃ，28ｄの上方に、固定表示パターン16の文字形状（沸とう、保温、．）と成された固定表示部20の透光性領域40が、上記固定表示用セグメント電極28ｃ，28ｄの輪郭内に収まるように配置したので、固定表示用セグメント電極28ａ，28ｂ，28ｃ，28ｄの形状に対応して前面基板22側の偏光板34から出射した矩形状の光の内、上記透光性領域40の文字形状に対応した光のみが透過し、それ以外の光は固定表示部20の非透光性領域42によって遮光されることとなるので、表示面12において所定の固定表示を行うことができる。
従って、本発明の液晶表示パネル10にあっては、固定表示パターン16の内容変更が必要な場合には、変更後の固定表示パターン16の形状と成された透光性領域40を有する固定表示部20に交換するだけで良く、従来のように変更後の固定表示パターン16の形状に対応した固定表示用セグメント電極28ａ，28ｂ，28ｃ，28ｄを新規に設計し直す必要がないので、簡単且つ低コストで固定表示パターン16を変更することができる。
【００２７】
例えば、本発明の液晶表示パネル10を日本仕様から海外仕様に変更する場合においては、図６に示すように、固定表示パターン16の「沸とう」を「Ｒｅ−ｂｏｉｌ」の表示パターン、「保温」を「ＨｏｔＫｅｅｐ」の表示パターンと成した透光性領域40を有する固定表示部20を用い、この固定表示部20を本体部18上に積層すれば簡単に海外仕様の液晶表示パネル10に変更することができる。
【００２８】
また、本発明の液晶表示パネル10を他製品に転用する場合においては、例えば、図７に示すように、固定表示パターン16の「沸とう」を「残り時」の表示パターン、「保温」を「間は」の表示パターン、「．（ドット）」を「分」の表示パターンと成した透光性領域40を有する固定表示部20を用い、この固定表示部20を本体部18上に積層すれば、簡単に他製品用の液晶表示パネル10に転用することができる。
【００２９】
上記においては、固定表示用セグメント電極28ａ，28ｂ，28ｃ，28ｄを矩形状にパターニングした場合を例示したが、これに限定されるものではなく、円形状等、任意の所定形状とすることができる。
【００３０】
また上記においては、前面基板22側に固定表示用セグメント電極28ａ，28ｂ，28ｃ，28ｄ及び可変表示用セグメント電極30ａ，30ｂを、背面基板24側に透明電極32を形成した場合を例示したが、背面基板24側に固定表示用セグメント電極28ａ，28ｂ，28ｃ，28ｄ及び可変表示用セグメント電極30ａ，30ｂを、前面基板22側に透明電極32を形成するようにしても良い。
【図面の簡単な説明】
【００３１】
【図１】本発明に係る液晶表示パネルを模式的に示す概略平面図である。
【図２】図１のＡ−Ａ概略断面図である。
【図３】本発明に係る液晶表示パネルの本体部を模式的に示す概略平面図である。
【図４】本発明に係る液晶表示パネルの固定表示部を模式的に示す概略平面図である。
【図５】本発明に係る液晶表示パネルの本体部と固定表示部を積層一体化する方法を示す説明図である。
【図６】本発明に係る液晶表示パネルの固定表示部の他の例を模式的に示す概略平面図である。
【図７】本発明に係る液晶表示パネルの固定表示部の他の例を模式的に示す概略平面図である。
【図８】従来の液晶表示パネルを模式的に示す概略平面図である。
【図９】従来の液晶表示パネルを模式的に示す概略断面図である。
【符号の説明】
【００３２】
10    液晶表示パネル
12    表示面
14    可変表示パターン
16    固定表示パターン
18    液晶表示パネルの本体部
20    液晶表示パネルの固定表示部
22    前面基板
24    背面基板
26    液晶
28ａ  固定表示用セグメント電極
28ｂ  固定表示用セグメント電極
28ｃ  固定表示用セグメント電極
28ｄ  固定表示用セグメント電極
30ａ  可変表示用セグメント電極
30ｂ  可変表示用セグメント電極
32    透明電極
34    偏光板
36    透光性基板
38    マスク層
40    透光性領域
42    非透光性領域
44    電極端子
【図１】
2012078612.tif 000003
【図２】
2012078612.tif 000004
【図３】
2012078612.tif 000005
【図４】
2012078612.tif 000006
【図５】
2012078612.tif 000007
【図６】
2012078612.tif 000008
【図７】
2012078612.tif 000009
【図８】
2012078612.tif 000010
【図９】
2012078612.tif 000011